(57)【要約】【課題】シャッタの外部からＮＤフィルタや一体羽根を手で触れられないようにした、汚れや傷が付きにくい光量調整装置、及びカメラ用シャッタ、並びに撮像装置を提供する。【解決手段】カメラの光路に対応する位置に開口を有する地板３と、地板に保持され、開口を開閉するシャッタ羽根と、地板に保持され、開口を覆う状態と覆わない状態とに回動する光学フィルタと、地板に、光学フィルタを覆うように取り付けられる板状のカバー部材１とを備え、カバー部材は、少なくとも開口の周囲に対応する部分を覆うように設けられている。【選択図】図１
2014021168.tif 000002
【特許請求の範囲】
【請求項１】
カメラの光路に対応する位置に開口を有する地板と、
前記地板に保持され、前記開口を開閉するシャッタ羽根と、
前記地板に保持され、前記開口を覆う状態と覆わない状態とに回動する光学フィルタと、
前記地板に、前記シャッタ羽根を覆うように取り付けられるカバー部材と、を備え、
前記カバー部材は、少なくとも前記開口の周囲に対応する部分を覆うことを特徴とする光量調整装置。
【請求項２】
前記カバー部材は、前記光学フィルタの回動範囲に対応する部分に、前記カバー部材の前記光学フィルタの回動範囲に対応する部分の周囲の部分よりも一段高く形成された逃げ部分が設けられていることを特徴とする請求項１に記載の光量調整装置。
【請求項３】
前記カバー部材は、前記開口を除いた前記光学フィルタの回動範囲の全てを覆うことを特徴とする請求項１又は２に記載の光量調整装置。
【請求項４】
前記カバー部材は、板金を加工して形成されており、前記逃げ部分は、前記板金を絞り加工することにより形成されていることを特徴とする請求項２に記載の光量調整装置。
【請求項５】
前記シャッタ羽根と前記光学フィルタとを駆動するための、電磁駆動手段をさらに備えることを特徴とする請求項１乃至４のいずれか１項に記載の光量調整装置。
【請求項６】
請求項１乃至５のいずれか１項に記載の光量調整装置をカメラ用のシャッタ構造に適用したことを特徴とするカメラ用シャッタ。
【請求項７】
請求項１乃至５のいずれか１項に記載の光量調整装置を備えたことを特徴とする撮像装置。
【発明の詳細な説明】
【技術分野】
【０００１】
本発明は、光量調整装置、及びカメラ用シャッタ、並びに撮像装置に関するものである。
【背景技術】
【０００２】
カメラで光量が多い被写体を撮影する場合、シャッタスピードを速くし、露光時間を少なくして撮影することがある。一方、シャッタスピードを速く出来ない場合、カメラのシャッタが有する開放径と呼ばれる口径よりも小さい口径を有する絞り羽根を用い、光量を減らす方法がある。開放径より小さい口径を有する絞り羽根による減光は、撮影する画像の画角を狭くすることがあるため、所望の減光を行うことができないことがある。そこで、樹脂製の薄いシートを黒く蒸着したＮＤフィルタを用いて減光する方式を採用する場合が多い。
【０００３】
ＮＤフィルタの構成の例として、２枚の板状の部材にＮＤフィルタを組込むことが提案されている（特許文献１参照）。
【０００４】
ＮＤフィルタは外観部品であるため、その生産工程において汚れや傷がつきやすい。ＮＤフィルタを絞り羽根に接着する工程やＮＤフィルタをシャッタのベース部材に組込む工程において、またシャッタとなった後も取扱いにより、汚れや傷を付けてしまうことがある。
【先行技術文献】
【特許文献】
【０００５】
【特許文献１】特開２００５−１５７１６１号公報
【発明の概要】
【発明が解決しようとする課題】
【０００６】
このような状況の中で、最近では、以下のような問題が発生している。
【０００７】
近年、カメラはフィルムカメラからデジタルカメラに移行している。市販されているカメラのほとんどはデジタルカメラである。以前はデジタルカメラに使用されるＣＣＤなどの撮像素子の画素数は数十万画素から数百万画素であった。しかし、撮影した画質の高品質化を追及してきた結果、最近では一千万画素を超える撮像素子が製造できるようになり、デジタルカメラに搭載されるようになった。
【０００８】
このように撮影した画像の高画質化に伴い、デジタルカメラの製造上、レンズやＮＤフィルタなどの光学部品の汚れや傷に対する品質管理は厳しくなってきている。僅かな汚れや傷の付着により、撮影した画像の品質を低下させてしまうため、ほこりは、数十ミクロンのものが付着してはいけない状況となっている。
【０００９】
デジタルカメラの生産において、工程のほとんどは、人手によって生産されている。そのため、ＮＤフィルタに汚れや傷を付けないようにカメラを生産しているが、１００％汚れや傷を付けないことは困難である。完璧な品質を目指すため、ロボットを導入するようなことは困難である。
【００１０】
生産工程において、ＮＤフィルタを汚したり、傷を付けた場合、シャッタを分解して、ＮＤフィルタやＮＤフィルタと絞り羽根を接着剤で固定した羽根（以下、一体羽根と呼ぶ）を交換しなければならない。この場合、ＮＤフィルタや一体羽根を廃棄することにより交換に要する時間とコストの損失が発生する。さらに、シャッタのカバーである板金部材は、シャッタのベース部材にフックで固定されていることが多いが、ＮＤフィルタや一体羽根を取り外すとき、板金部材をベース部材から外さなければならず、板金部材のフックを変形させてしまうことが多くある。僅かでも変形させた板金部材を再利用すると、シャッタの商品としての価値を損ねてしまうため、変形した板金部材を再利用することはできない。結果的にＮＤフィルタを汚したり、傷つけたりすると、ＮＤフィルタや一体羽根羽根ばかりでなく、板金部材までも廃却しなければならない場合がある。この廃却による損失は、シャッタのコストの約１０％ほどとなり、大きな損失である。
【００１１】
本発明は、上述した課題に鑑みてなされたものであり、その目的は、シャッタの外部からＮＤフィルタや一体羽根を手で触れられないようにした、汚れや傷が付きにくい光量調整装置及びカメラ用シャッタ並びに撮像装置を提供することである。
【課題を解決するための手段】
【００１２】
本発明に係わる光量調整装置は、カメラの光路に対応する位置に開口を有する地板と、前記地板に保持され、前記開口を開閉するシャッタ羽根と、前記地板に保持され、前記開口を覆う状態と覆わない状態とに回動する光学フィルタと、前記地板に、前記シャッタ羽根を覆うように取り付けられるカバー部材と、を備え、前記カバー部材は、少なくとも前記開口の周囲に対応する部分を覆うことを特徴とする。
【発明の効果】
【００１３】
本発明によれば、シャッタの外部からＮＤフィルタや一体羽根を手で触れられないようにした、汚れや傷が付きにくい光量調整装置及びカメラ用シャッタ並びに撮像装置を提供することが可能となる。
【図面の簡単な説明】
【００１４】
【図１】本発明の一実施形態に係わるカメラ用シャッタの正面図。
【図２】本発明の一実施形態に係わるカメラ用シャッタの駆動部の構成を示す背面図。
【図３】本発明の一実施形態に係わるカメラ用シャッタのカバー部材を取り除いた状態を示す図。
【図４】従来のカメラ用シャッタを示す図。
【図５】本発明の一実施形態に係わるカメラ用シャッタのカバー部材の逃げ部分に開口部を有する例を示す図。
【図６】図５を矢印Ａ−Ａ方向から見たＮＤフィルタ羽根とカバー部材の位置関係を示す部分断面図。
【発明を実施するための形態】
【００１５】
以下、本発明の一実施形態について、添付図面を参照して詳細に説明する。
【００１６】
図１は本発明の一実施形態に係わる光量調整装置の一例であるカメラ用シャッタの正面図である。１はシャッタの羽根室を構成する薄い樹脂製のシート部材を押さえる機能を有し、シャッタの外装をなすカバー部材である。カバー部材１には、カメラの光路に対応する位置に開口１ａが設けられている。本実施形態では、カバー部材１には、板厚の薄い金属製の板金が用いられる。２はカバー部材１において、本実施形態のシャッタに搭載されているＮＤフィルタ（光学フィルタ）が回動する領域（回動範囲）を絞り加工により一段高くした逃げ部分である。逃げ部分２の形状は、略扇形である。
【００１７】
図２は図１に示したシャッタの動作を説明する図である。３はシャッタのベースとなる地板である。地板３には、カメラの光路に対応する位置に開口３ａが設けられている。地板３の図２に示す面には、電磁駆動部４が取り付けられる。電磁駆動部４は、円筒状のマグネット、鉄芯となるヨーク、樹脂製のボビンの周囲に銅線を巻回したコイル等を備える。また、電磁駆動部４は、シャッタ羽根が開口１ａ，３ａを開閉する駆動と、ＮＤフィルタあるいは絞り羽根の駆動とを行うため、円形の地板３の２ヶ所に取り付けられる。地板３の図１に示す面側にはシャッタ羽根や、ＮＤフィルタ、さらにシャッタ羽根室とＮＤフィルタの羽根室を構成するための樹脂製の薄いシートが取り付けられる。そのため、地板３は複雑な形状となり、多くの場合、樹脂を成形したものが用いられる。図２の状態の地板３に電磁駆動部４を保持するための不図示の駆動部カバーを取付ける。
【００１８】
図３は、図２の状態の地板３を表裏反転し、シャッタ羽根室を構成する不図示のシートと、不図示のシャッタ羽根と、シャッタ羽根室とＮＤフィルタの羽根室を仕切る樹脂製の薄いシート５と、絞り羽根６にＮＤフィルタ７を接着剤で固定したＮＤフィルタ羽根８を取り付けた状態を示す図である。
【００１９】
シャッタ羽根（不図示）とＮＤフィルタ羽根８は電磁駆動部４に電流や電圧を通電することにより、シャッタの有する口径を進退する。ＮＤフィルタ羽根８は地板３に設けられた軸９を中心として回動動作する。
【００２０】
図３の状態の地板３にシャッタの外装をなすカバー部材１を取り付ける。また、シャッタ羽根とＮＤフィルタ羽根８を駆動させるため、電磁駆動部４のうちのコイルの端子とフレキシブルプリント板（いわゆるＦＰＣ）を半田で固定することにより、シャッタが完成する。
【００２１】
従来のシャッタでは、図４に示すように、カバー部材１にＮＤフィルタ羽根８が回動する領域に対応する穴１０が形成されていたため、ＮＤフィルタ羽根８が露出する。そのため、シャッタ組立て後の取扱いでＮＤフィルタ羽根８に触れてしまい、汚れや傷を付けてしまうことがあった。
【００２２】
ＮＤフィルタ羽根８に汚れや傷を付けてしまうと、シャッタからカバー部材１を取り外さなければならない。カバー部材１は地板３と複数個所のフックにより固定されていることが多い。従って、カバー部材１を地板３から取り外すとカバー部材１を変形させてしまうことがある。変形させたカバー部材１は商品として使用することができないので、汚れや傷を付けてしまったＮＤフィルタ羽根８と一緒に廃却することになることがある。その場合の損失費用は、シャッタのコストの約１０％となる。
【００２３】
そこで、本実施形態では、図１に示すように、カバー部材１は、開口１に対応する部分以外、穴を設けておらず、少なくとも開口１の周囲に対応する部分を覆うように構成されている。そして、本実施形態のカバー部材１は、開口１ａを除いたＮＤフィルタ羽根８の回動領域まで覆うように設けられている。すなわち、本実施形態では、カバー部材１は、開口１ａを除いたＮＤフィルタ羽根８の回動範囲に対応する部分を実質的に全部覆っている。これにより、ＮＤフィルタ羽根８は、実質的に開口１ａ以外は外部に露出することなく、カバー部材１によって保護される。ＮＤフィルタ羽根８の回動領域を覆う場合、単純にカバー部材１の周辺と同じ高さで覆うとＮＤフィルタ羽根８が回動するとき、ＮＤフィルタ羽根８とカバー部材１が接触し、ＮＤフィルタ羽根８に傷を付けてしまう。そのため、カバー部材１のうち、ＮＤフィルタ羽根８の回動領域を絞り加工により一段高くして逃げ部分２を形成することにより、ＮＤフィルタ羽根８が回動しても、カバー部材１と接触しないようにし、ＮＤフィルタ羽根８に傷が付かないようにしている。カバー部材１の絞り加工を施した逃げ部分２は、カバー部材１の周辺より０．４ｍｍほど高くしている。
【００２４】
本実施形態による方式によれば、カバー部材１という一つの部品だけでＮＤフィルタ羽根８に汚れや傷が付かないようにすることができる。
【００２５】
ＮＤフィルタ７を板状の部材で挟んで使用することも考えられる。しかし、この方法では、ＮＤフィルタ７を挟むため、部品が余計に必要となる。そのため、費用がかかる。また、ＮＤフィルタを手で触れないようにするためには、板状部材の板厚を厚くしなければならない。
【００２６】
また、本実施形態によれば、振動や落下による衝撃があっても、シャッタからＮＤフィルタ羽根８が外れることはない。
【００２７】
シャッタの構成上、図１に示すカバー部材１のようにＮＤフィルタ羽根８の回動領域を全て覆うことができない場合、図５に示すように、カバー部材１に開口部１１を設けてもよい。但し、この開口部１１から手の指が入り、ＮＤフィルタ羽根８に触れないように開口部１１を小さく設定しなければならない。
【００２８】
なお、図６は、図５を矢印Ａ−Ａ方向から見たＮＤフィルタ羽根８とカバー部材１の位置関係を示す部分断面図である。カバー部材１が、ＮＤフィルタ７に対応する位置に逃げ部２を有しているため、ＮＤフィルタ７が回動してもＮＤフィルタ７の表面がカバー部材１と擦れることがなく、ＮＤフィルタ７に傷がつくことを防止できる。
【００２９】
以上説明したように、本実施形態によるカメラ用シャッタは、シャッタを構成する板金部材のうち、ＮＤフィルタが回動する領域を絞り加工により、高さを一段高くし、かつ、ＮＤフィルタの回動領域のうち、シャッタの光路以外の領域をカバーすることにより、シャッタの外部から手でＮＤフィルタに触れないようにしている。
【００３０】
この構成によれば、板金部材一部品でＮＤフィルタに汚れや傷が付かなくすることができる。ＮＤフィルタを板状部材に挟んで使用することも考えられる。しかし、この構成であると板状部材が２つ必要となるため、費用が余計に掛かってしまう。また、ＮＤフィルタを板状部材に挟んだだけでは、ＮＤフィルタを手で容易に触れることができる。ＮＤフィルタを手で触れることが出来ないようにするためには、厚みの厚い板でＮＤフィルタを挟まなければならない。このような構成は現実性がない。
【００３１】
また、上記構成によれば、ＮＤフィルタの回動領域を板金部材で覆っているため、ＮＤフィルタが振動や落下による衝撃により、シャッタ外に外れてしまうことがなくなる。
【００３２】
なお、上述した実施形態では、本発明の光量調整装置をカメラ用シャッタ構造として適用した例を説明したが、本発明は、上述した光量調整装置をシャッター構造として備えたカメラ等の撮像装置も対象とする。
【符号の説明】
【００３３】
１  カバー部材
２  逃げ部分
３  地板
４  電磁駆動部
５  仕切り板
６  絞り羽根
７  ＮＤフィルタ
８  ＮＤフィルタ羽根
９  回転軸
１０  穴
１１  開口部
【図１】
2014021168.tif 000003
【図２】
2014021168.tif 000004
【図３】
2014021168.tif 000005
【図４】
2014021168.tif 000006
【図５】
2014021168.tif 000007
【図６】
2014021168.tif 000008